(57)【要約】  クラウン部分及び庇部分を有するフリップキャップであって、庇は、上側部材及び下側部材を有し、上側部分及び下側部分のうちの少なくとも一つは、上側部材及び下側部材が離されたときに、その上に固定された情報を表示することができる表面を有する。
2016518536.tif 000002
【特許請求の範囲】
【請求項１】
人の頭部に着用されるためのクラウン部分、
前記クラウン部分に取り付けられ、上側部材及び下側部材を有する、庇部分、
前記の上側及び下側の庇部材を一体的に、第一の位置において取り外し可能に固定するための手段、及び
前記の下側及び上側の庇部材を、互いに対する離間位置において固定するための手段、
を有する、フリップ庇構成。
【請求項２】
前記離間位置は約９０度である、請求項１に記載の構成。
【請求項３】
前記上側庇部材は、前記の第一及び第二の庇部材が前記離間位置にあるときに観察者に視認可能な第一の表面を有する、請求項１に記載の構成。
【請求項４】
前記第一の表面は、該第一の表面上に形成されたメッセージを有する、請求項３に記載の構成。
【請求項５】
当該構成はキャップである、請求項１に記載の構成。
【請求項６】
当該構成はバイザーである、請求項１に記載の構成。
【請求項７】
前記の固定手段は、前記上側庇部材に形成された複数の穴及び前記下側庇部材に形成された複数の並べられたピン部材を有する、請求項１に記載の構成。
【請求項８】
前記上側庇部材の下端は、前記上側庇部材が前記下側庇部材に形成された前記ピン部材のうちの少なくとも二つに係合することを可能にする形状を有することにより、前記の下側及び上側の庇部材を、前記離間位置に維持する、請求項７に記載の構成。
【請求項９】
前記上側部材は、前記上側部材の端の周りに形成された第一の材料に対して固定される、請求項１に記載の構成。
【請求項１０】
前記下側部材は、前記下側部材の端の周りに形成された第二の材料に対して固定される、請求項９に記載の構成。
【発明の詳細な説明】
【技術分野】
【０００１】
本発明は、庇（bill）を有するキャップ又はバイザーを提供する。その庇は固定された下側部分及び可動な上側部分を有し、両方の庇の部分は、着用者の近くの人に情報を視覚的に表示する能力を有する。
【背景技術】
【０００２】
第一の位置から第二の位置に動くことができる庇を有する様々な種類のキャップが、娯楽及び広告の目的のために従来技術から利用可能であった。
【０００３】
例えば、パターソンらの米国特許第４，７７７，６６７号明細書は、フリップビルキャップを開示し、その庇部分は、持ち上げられてその表面の娯楽及び広告のメッセージをあらわすように適合されている。その庇部分は、針又はソレノイドのいずれかを使用して、キャップ着用者によって起動される。印（Indicia）は、一つの実施形態及び第二の実施形態において、庇部分の下側に直接的に形成され、庇部分は、その中に形成されたトラック又はスロットを有する。その上に形成された印を有するカードは、庇部分が角度上直立した位置に動かされたときに、窓を通して見られるように、そのトラック内をスライド可能である。
【０００４】
庇をその角度位置に動かすための開示された機構は、扱いにくく、高価なものである。従って、望まれることは、‘６６７特許に開示されるキャップを含む現在利用可能なキャップよりも単純で安価な、メッセージを表示するためのキャップフリップビルを提供することである。
【先行技術文献】
【特許文献】
【０００５】
【特許文献１】米国特許第４，７７７，６６７号明細書
【発明の概要】
【課題を解決するための手段】
【０００６】
本発明は、上側部分及び下側部分から構成された、庇部分（bill  portion）を有するフリップキャップ（又はバイザー）を提供する。上側庇部分は、キャップが通常の着用者モードにあるときに、底部庇部分に固定される。着用者がメッセージを表示するように決定したときに、庇部分は離され、上側庇部分は角度上直立した方向に延びる。情報は、両方の部分に固定されたサインボード上に形成され、次いで着用者に近い人によって視認可能となる方法で表示される。
【０００７】
したがって、本発明は、上側庇部分及び下側庇部分を有するフリップビル（庇）キャップであって、一つのモードにおいて複数の庇部分は一体的に接合され、第二のモードにおいて離間されて、上側庇部分及び下側庇部分に固定されたサインボード上の情報を表示する、フリップビル（庇）キャップを提供する。そのキャップは、シンプルであり、経済的なコストで作製することができる。
【図面の簡単な説明】
【０００８】
本発明並びに他の目的及びそれらの更なる特徴のより良い理解のため、以下の記述への参照がなされる。それは、添付の図面と共に読まれるべきである。
【図１】図１は、上側庇部分及び下側庇部分が一体的に配置された、本発明の教示によるキャップの正面図である。
【図２】図２は、上側庇部分及び下側庇部分が離間した、図１のキャップを示す側方斜視図である。
【図３】図３は、離された複数の庇部分の正面立面図である。
【図４】図４は、上側庇部分及び下側庇部分が離間した、図１のキャップの側方斜視図である。
【図５】図５は、本発明の係止機構を形成する二つの構成要素の側方斜視図である。
【図６】図６は、本発明の教示を用いるバイザーの側方斜視図である。
【発明を実施するための形態】
【０００９】
図１は、本発明の教示を組み入れるフリップキャップ１０の正面図である（本発明は図６に示されるようなフリップバイザーとして使用され得ることに留意されたい）。キャップ１０は、着用者の頭部に着用されるためのクラウン部分１４及びヘッドバンド１７を含む。庇部分１６は、下側部材１８及び上側部材２０を有し、上側部材２０は下側部材１８に対して回動可能に接続されている。上側部材２０は下側部材１８に取り外し可能に固定されており、複数の長円（oval）形状開口部又は穴２２（図２）は上側部材２０に形成され、上側部材及び下側部材が着用者によって一緒に押圧されたときに、下側部材１８に固定された直立したピン２３に係合する。図３に示されるように、上側部材２０に縫い付けられたプラスチックボード１の表面上に配置されたメッセージを表示することが望まれる場合は、上側部材２０は、着用者によって下側部材１８から離され、下側部材１８に対して実質的に直角な位置まで上向きに動かされる。部材２０の下端部分２５は、本明細書において後に記述されるように、使用者がそれ以上メッセージを表示しないことを決定するまで、表示位置で部材を係止（lock）するように設計される。
【００１０】
庇部材１８及び２０は、一体的にスナップされた（snapped  together）ときに、使用者によってフリップされる（flipped）又は動かされるより前に、キャップ１０を従来のビルキャップのように見えるようにする。フリップする動作は、部材１８上に形成されたピン２３を穴２２から解放させ、上側部材２０がその固定／係止位置に入るまで上側部材２０を手動で持ち上げる。
【００１１】
メッセージ２７は、一つの好ましい実施形態において、パーソナライズされたメッセージがコンピュータ上で作成され得るように、使用者にとって利用可能なソフトウェアプログラムによって作成される。メッセージは、ひとたび作成されると、次いでサインボード１９の表面上に直接的に印刷され、ボードは次いで、キャップ組立工程中にそれが上側部材２０の内側表面を覆う寸法に切断される。
【００１２】
上側庇部材ボード１９は、単一部品（piece）であり、係止用ヒンジを作るためにその両方の角に形成された曲線状の切断部（curved  cut）２９を有し、ボード１９の二つの端部分は、その中に形成された縫い糸の端まで、丸みを帯びたパターンに切断される。これは、庇部材２０がフリップし、着用されたときにキャップの正面に寄り掛かること（resting  on）なく、独力で立ったままでいることを可能にする。ヒンジ機能は、上側庇部材２０が上に動き、次いで下に戻ってスナップして閉じることを可能にする。具体的には、最も遠い上側部材１９の後端は、その中に切断された一対の本質的に三角形状の部品３１を有する。その切断部はアンカーポイントとして機能し、下側庇部材１８に接合されたまま庇部材２０が上にフリップされることを可能にする。曲線状の切断部は、上側庇部材２０が、その端部三角形部品が底部庇部材１８に収納及び接続されたまま、フリップされることを可能にする（切断部２９と部品３１との区別が正確であることを確認されたい）。二つの三角形部品３１は、底部庇部材１８まで貫通して縫われ、一方で、上側庇部材２０の曲線状の切断部は、底部庇部材１８に縫い付けられていないため、底部庇部材１８に対して実質的に９０度可動である。曲線状の切り出し設計は、上部庇部材２０の三角形部分が底部庇部材１８に縫い付けられることを可能にし、一方で、曲線状の切り出し部２９が底部庇部材１８に向かって“スライド”し、底部庇部材１８に寄り掛かることを可能にしつつ、同時に、サインボード１９をしっかりと適切な位置に保持し、サインボードのために９０度の視野を作り出す。サインボード部分１９は、最大で９０度の角度まで可動であり、一方で、三角形端部部品は非可動であり、止まったままである。下にフリップして戻ったときに、曲線状の端部３５は、継ぎ目なく（seamlessly）後退し、キャップ１０が通常のキャップのように見えることを可能にする。
【００１３】
両方の上側及び下側の部材１８及び２０がスナップして閉じられ、適切な位置に係止されたときに（今は標準的なキャップに類似する）、上部庇部材２０の穴又は開口部２２は、下側庇部材１８上に並べられた雄ピン２３が交互に（左右に）動くことを可能にする。これは、ピンの完全性が不変のままで、着用者が閉じられたキャップの庇を曲げ又は操作すること及び庇部材がしっかりと一体にスナップされることを可能にする。
【００１４】
上側庇部材２０がスナップして閉じられたときに、ピンが並べられた穴内に適合するため、上側庇部材及び下側庇部材が一体的に係止される。上側庇部材２０が使用者によって開かれたときは、ピンは手動で穴から外され（スナップ解除）、上部庇部材の下方の曲線状切断部分は、次いで本明細書において上で言及したように前方に向かって、下側庇部材１８に対して固定されたサインボード２１の上端に寄り掛かる位置にスライドする。上側庇部材２０は、従って、上部庇部材２０に形成された切断部２５の結果として適切な位置に係止される。ピン６１及び６３は、そのとき、ストッパーとして機能し、フリップして開いたときに、庇部材２０が下側庇部材１８に対して９０度を超えないことを確かにする。
【００１５】
各庇部材の後端（back  edge）に位置付けられた補強された縫い止め（sewing  closure）は、キャップが上にフリップし且つ両方の下側庇部材及び上側庇部材を一体的に保ち、そのため両方の庇が従来のキャップと同様に取り付けられることを確かにする。補強された縫いは、上部庇部材２０を、適切な位置且つ下側庇部材１８に接続された状態に保ち、そのため、それは容易に開くこと及び閉じることの両方ができる。それは、フリップされたときにばらばらにならず、また、係止される下方位置に戻されたときにスナップクロージャを整列した状態に保つ。
【００１６】
両方の上側及び下側のサインボード１９及び２０の端に位置付けられた二つの本質的に平行な縫い糸５０及び５２が存在する。外側の複数の縫い糸は、それぞれ、下側及び上側の庇部材１８及び２０を覆う布材（fabric  material）のために使用される。布の縁（brim）部分は、サインボード１９及び２０の内側部分上に縫われる唯一の材料であり、サインボード１９及び２０上に印刷された情報の外縁部分の上に縫い込まれることができる（どのように縁が形成されるかをより明確に述べる）。
【００１７】
第一の表示体は、サインボード１９の露出した表面上に直接的に適用される高品質４色印刷プロセスを含む（表示体はまた、サインボード２１の表面上に印刷されてもよい）。縁は、サインボード１９及び２１の外側部分の上に縫われる。
【００１８】
図６は、バイザー６０との使用のために適合された本発明を示す。
【００１９】
キャップ作製プロセス中に、キャップ材料の複数の部分はサインボードの上にそのとき縫われ、そのためそれらは取り外し可能ではない。第二の表示体は、以下のいずれであってもよい。（ａ）製造中に添付されたステッカー（ステッカーは、“下側及び上側の庇部材”上のピン及び穴にそれぞれ適合するピン及び穴の寸法に適合する切り出し穴を有し得る）；（ｂ）庇部材の内側及び外側の布に完全に覆われた庇であり、そのときアートワークが布に加えられる庇；（ｃ）ホワイトボードに類似する真っ白なステッカー又は適用されたクリアな光沢のある仕上げのコーティング。そのため、エンドユーザは、その上に彼ら自身の個人仕様の（custom）メッセージを書くことができる；（ｄ）個人仕様のテンプレートのインサートをスライドさせて入れるために上部に単一の開口部を備えた、上側のサインボードに縫い込まれたクリアＰＶＣスリーブ、及び（ｅ）両方の上側及び下側のサインボードは磁化され（又はその上に塗られた磁性コーティングを有し）、エンドユーザは、磁化された装飾具を使ってサインボードを装飾し得る。
【００２０】
本発明のフリップキャップ１０は、通常のキャップに類似するが、上にフリップされまた下にスナップされたときにキャップ機能性を維持するように上側及び下側の庇部材１８及び２０が個人仕様に成形／加工されることにおいて異なる。キャップ１０がフリップされたときに、サインボードの露出した表面は、広告表示として機能する（単独で露出したサインボード１９の表面は情報表示の好ましい方法であるが、両方のサインボードが同時に情報を表示し得ることに留意されたい）。上側庇部材２０は幾分寸法が大きく、底部庇部材１８は、複数の部材が一体的にスナップされたときに比較的目立たない。加えて、穴２２は、より少ない摩耗、擦り切れを確かにし、ピン底の破損を防止するように構成される。上側及び下側の庇部材は、好ましくは二つの別個に成形されたプラスチック部品として形成される。プラスチックのサインボードはキャップが組み立てられる時に作製され、アートワーク又は情報は、後述するようにキャップ上に縫われる前にサインボードに付される。
【００２１】
サインボード１９の三角形端部３１は、キャップ１０に縫い込まれる結果として止まっている。曲線状の切り出しは、上部庇部材２０から分離されることなく、上方及び下方へのフリップ運動／動作を維持することが尚も可能であるままで、サインボード１９が一つの部品のままでいることを可能にする。曲線状の切断部は、サインボード１９が継ぎ目なく前後にスライドし、ヒンジとして機能することを可能にする。
【００２２】
曲線状の切り出し部分２９は、サインボード１９のための“足支持構造”として機能し、それが垂直に適切な位置に動くことを可能にする。これらの“足”は、下側のサインボード２１上に載せたときに、重要な構造的支持として働く。曲線状の切り出し設計のために、サインボード１９は、曲線状の下側縁と共に、直立した位置を維持することができる。垂直な位置を維持することは、直線的で平らな庇底部を使って可能ではない。キャップは、スナップされた閉じ位置にあるときに平らな庇の外見に類似する。上側部材２０が手動で上方にフリップされたときに、前方にスライドする曲線状の切断部２９によって生み出される圧力は、下側庇部材１８にかすかな曲がりを自動的に与え、サインボード１９のための支持構造を提供する。
【００２３】
上方にフリップされたときに、曲線状の設計は下側庇部材１８の両方の角に圧力を生み出し、そこにかすかな曲線を生み出す。押圧点（pressure  point）はサインボード２１の底部にかすかな曲線を生み出し、二つの曲線状の底部の上側庇部材部品２９が下側庇サインボード２１に当たり、接触する（プラスチック対プラスチック）。
【００２４】
押圧点によって生み出される力は、サインボード１９が、また結果として上側庇部材２０が、上方にフリップされた位置で係止されたままでいることを可能にする。押圧点から生み出される（庇を手動的に上方にフリップすることから引き起こされる）下向きの力は、かすかに曲線状の下側庇を生じさせ、それは上側庇部材２０の位置を安定化させる。
【００２５】
曲線状の切り出しは、下方にフリップされた位置まで継ぎ目なく後退し、三角形の縫い込まれた部品３１と整列する。次いで、両方の庇（上側及び底部）は、一体的に閉じて適切な位置に戻され、このように二つの別個の庇は統合され、やはり通常のキャップ又はバイザーの庇のように見えるようになる。本質的に、この手順はまた、雄ピンを雌穴に整列させ、適切な位置にスナップされたときに両方の上側及び下側の部材が一つの庇として見えることを可能にする。
【００２６】
ピン６１及び６３は、たとえエンドユーザが個人的な快適さのための調節をするために底部庇を曲げ又は曲線状にしても、見られるサインボード領域が決して９０度の最適な視角より大きく位置しないことを確かにする。
【００２７】
本発明のキャップ１０を生産するための複数のステップは、以下の通りである。
【００２８】
（ａ）キャップ（又はバイザー）のクラウン部分が、その製造者から得られる。
【００２９】
（ｂ）サインボードプラスチック部材１８及び２０が、本明細書において上述された特注機構を備えた別個のモールドで作製される。
【００３０】
（ｃ）下側庇部材１８のための布が、縁部分を形成するためにサインボード２１の端に沿って縫われる。
【００３１】
（ｄ）上側庇部材２０のための布が、縁部分を形成するためにサインボード１９の端に沿って縫われる。
【００３２】
（ｅ）その後に、形成された上側及び下側の庇部材が一体的に縫い合わされる。そして、
【００３３】
（ｆ）今度は、接合された上側及び下側の庇部材がキャップのクラウン部に縫い付けられる。
【００３４】
本発明は、観察者に情報を表示するためのユニークな機構を有するフリップアップキャップ（又はバイザー）を提供する。そのキャップは、二つのモードで働く。具体的には、第一のモードは、複数の庇部材が一体的に接合して従来のキャップの庇がそうであるように外側に延びるときであり、第二のモードは、複数の庇部材が“使用者又は着用者によって手動的に上方にフリップされること”によって離間され、情報を表示するときである。
【００３５】
本発明は、その好ましい実施形態を参照して記述されたが、本発明の真の精神及び範囲から逸脱することなく、様々な変更がなされてもよく、均等物がその要素の代わりに用いられてもよいことが、当業者によって理解されるであろう。加えて、具体的な状況又は材料を本発明の教示に適合させるために、その本質的な教示から逸脱することなく、多くの修正がなされてもよい。
【図１】
2016518536.tif 000003
【図２】
2016518536.tif 000004
【図３】
2016518536.tif 000005
【図４】
2016518536.tif 000006
【図５】
2016518536.tif 000007
【図６】
2016518536.tif 000008
【国際調査報告】
2016518536.tif 000009
2016518536.tif 000010